(57)【特許請求の範囲】
【請求項１】
中空支持体内に収納して支持される光コネクタの一端に、光通信網の光ケーブル終端部が接続され、前記中空支持体の側面に穿設された開口部を跨いで可搬局のジャックを前記光コネクタの他端に接続されることによって光通信を可能にする光線路の端末構造であって、中空支持体の内面に光コネクタの他端を支持する取付金具が設けられ、該取付金具により中空支持体に光コネクタの他端が固定され、前記可搬局のジャックが接続されていない時に前記光コネクタの他端にはループコネクタが取り付けられると共に、前記開口部を塞いで開閉を規制する扉の中空体内部側又は中空支持体内にループコネクタの支持部が取り付けられ、可搬局のジャックの取り付け時には外したループコネクタを前記支持部に挿入支持して保管できるようになされ、前記扉は、ジャックから可搬局へ通ずるケーブルを挿通可能な切欠き部が設けられ、該切欠き部には切欠き部の縁部によるケーブルへのストレスを軽減する緩衝部が設けられていることを特徴とする光線路の端末構造。
【請求項２】
前記光線路の端末は、光ケーブル終端部に光コネクタの一端が接続され、且つ前記光コネクタの他端には可搬局のジャックが接続可能となされた光コンセントであることを特徴とする請求項１に記載の光線路の端末構造。
【請求項３】
光コンセントは、中空支持体の中空部に設けられた取付金具を介して中空支持体に取り付けられることを特徴とする請求項２に記載の光線路の端末構造。
【請求項４】
取付金具は、中空支持体側に取り付けられ開口部下方に直立させて設けられたプレートと、光コンセント側に予め設けられた直立したプレート部を有する略Ｌ字型の金具を含み、前記開口部側の直立したプレートに光コンセント側の略Ｌ字型の金具が懸架された状態で中空支持体に取り付けられることを特徴とする請求項２又は３に記載の光線路の端末構造。
【請求項５】
取付金具は、開口部側の直立したプレートに光コンセントを支持する一部が開口した円形のバネ状固定金具が取り付けられたものであることを特徴とする請求項２又は３のいずれかに記載の光線路の端末構造。
【請求項６】
扉は、上方開きのものであることを特徴とする請求項１〜４のいずれかに記載の光線路の端末構造。
【請求項７】
前記開口部は、前記扉の中空体内部側に覆いが取り付けられ、開口部の少なくとも下端付近を閉塞していることを特徴とする請求項１〜６のいずれかに記載の光線路の端末構造。
【請求項８】
覆いは、合成樹脂からなるフィルムであることを特徴とする請求項７に記載の光線路の端末構造。
【請求項９】
切欠き部は、前記扉の下端部に設けられ、緩衝部は切欠き部の縁部上端から中空支持体内上方に向かって延びる傾斜面であることを特徴とする請求項１〜８のいずれかに記載の光線路の端末構造。
【請求項１０】
前記光コネクタの他端は、蝶番により支持され自重により光コネクタの他端を覆う蓋体が設けられていることを特徴とする請求項１〜９のいずれかに記載の光線路の端末構造。
【発明の詳細な説明】
【０００１】
【発明の属する技術分野】
本発明は持ち歩いて通信情報を授受することができる、所謂可搬局を接続させる情報コンセントに関するもので、詳しくは光通信における光線路の端末構造に関するものである。
【０００２】
【従来の技術】
可搬局を接続する情報コンセントに関しては、接続部がむき出しとなっており、浸水や悪戯等により接続部やケーブルが故障し、接続及び通信に支障を来す場合があった。
【０００３】
そこで同出願人による特願２０００−３１５０４５号において、中空支持体内に情報コンセントを収納し、接続時にのみ扉を開けることで浸水や悪戯等を防止する対策としている。
【０００４】
【発明が解決しようとする課題】
しかしながら、光コネクタの端末は通常中空支持体を設置した後取り付けるか若しくは既設である中空支持体に取り付けるものであり、取り付け時には扉の開口部というごく限られた空間を利用して行われることから、取り付け時の動作が制約されて取り付けが行いづらく、また光コネクタの端末や取付用のボルト、ビス等の部品を誤って中空支持体内に落としてしまう不具合が生じることが考えられる。
【０００５】
また、情報コンセントの光コネクタの端末には、接続時以外にはループコネクタを取り付けてケーブルが途中で寸断された状態にしないようにしておく必要があるが、接続時にこのループコネクタを取り外すと、紛失の恐れがある。
【０００６】
また、可搬局の接続時に、それ程長時間ではないとしても、扉が開放された状態となり、特に暴風雨時においては雨が光コネクタの端部にかかり、これも故障の原因となる恐れがある。
【０００７】
そこで本発明は、光コネクタ端末の取り付けが容易で、ループコネクタの紛失、可搬局の接続時での故障発生の恐れのない光線路の端末構造を提供するものである。
【０００８】
【課題を解決するための手段】
上記課題を解決するために、本発明は以下のような構成としている。すなわち、中空支持体内に収納して支持される光コネクタの一端に、光通信網の光ケーブル終端部が接続され、前記中空支持体の側面に穿設された開口部を跨いで可搬局のジャックを前記光コネクタの他端に接続されることによって光通信を可能にする光線路の端末構造であって、中空支持体の内面に光コネクタの他端を支持する取付金具が設けられ、該取付金具により中空支持体に光コネクタの他端が固定され、前記可搬局のジャックが接続されていない時に前記光コネクタの他端にはループコネクタが取り付けられると共に、前記開口部を塞いで開閉を規制する扉の中空体内部側又は中空支持体内にループコネクタの支持部が取り付けられ、可搬局のジャックの取り付け時には外したループコネクタを前記支持部に挿入支持して保管できるようになされ、前記扉は、ジャックから可搬局へ通ずるケーブルを挿通可能な切欠き部が設けられ、該切欠き部には切欠き部の縁部によるケーブルへのストレスを軽減する緩衝部が設けられていることを特徴とするものである。
【０００９】
本発明によれば、光コネクタの他端を中空支持体に取り付ける際に、取付金具を用いて固定することで、扉の開口部において取り付け時の動作が制約される状況にあっても、光コネクタの他端は容易に取り付けが可能なものとなり得る。また可搬局のジャックが接続された際に取り外されたループコネクタを扉の中空体内側に取り付けておくことで、ループコネクタの紛失を防止できると共に、ループコネクタは中空支持体の中空部に保管されることで故障の恐れを小さくできる。更にまたケーブルにかかるストレスを軽減することで可搬局側からの引っ張り等によるケーブルの破損を防止でき、更には光ケーブルを用いたときに生じる屈曲による通信障害を防止することで通信を円滑なものとできる。
【００１０】
また前記光線路の端末は、光ケーブル終端部に光コネクタの一端が接続され、且つ前記光コネクタの他端には可搬局のジャックが接続可能となされた光コンセントであることを特徴とするものである。
【００１１】
また前記光コンセントは、中空支持体の中空部に設けられた取付金具を介して中空支持体に取り付けられることを特徴とするものである。
【００１２】
また前記取付金具は、中空支持体側に取り付けられ開口部下方に直立させて設けられたプレートと、光コンセント側に予め設けられた直立したプレート部を有する略Ｌ字型の金具を含み、前記開口部側の直立したプレートに光コンセント側の略Ｌ字型の金具が懸架された状態で中空支持体に取り付けられることを特徴とするものである。
【００１３】
本発明によれば、光コンセントが取付金具により懸架された状態で取り付けが可能であり、光コンセント側を支持しつつ取り付けを行う必要がなく、より取り付け時における不具合の発生を防止することができる。
【００１４】
また、取付金具は、開口部側の直立したプレートに光コンセントを支持する一部が開口した円形のバネ状固定金具が取り付けられたものであってもよい。
【００１５】
【００１６】
【００１７】
【００１８】
【００１９】
また前記扉は、上方開きのものであることを特徴とするものである。
【００２０】
また前記開口部は、該扉の中空体内部側の開口部に覆いが取り付けられ、開口部の少なくとも下端付近を閉塞していることを特徴とするものである。
【００２１】
本発明によれば、光線路の端末が利用される可能性が高まる悪天候時においても、開口部が覆いにより閉塞されていることで、光コネクタの他端に降雨等がかかって故障することを防止できる。
【００２２】
【００２３】
また前記覆いは、合成樹脂からなるフィルムであることを特徴とするものである。
【００２４】
【００２５】
【００２６】
【００２７】
また切欠き部は、前記扉の下端部に設けられ、緩衝部は切欠き部の縁部上端から中空支持体内上方に向かって延びる傾斜面であることを特徴とするものである。
【００２８】
また本発明は、光コネクタの他端に蝶番により支持され自重により光コネクタの他端を覆う蓋体が設けられていることを特徴とするものである。
【００２９】
本発明によれば、悪天候時にループコネクタを取り外し、可搬局側のジャックを接続する間に発生が考えられる降雨等による光コネクタの他端の故障を蓋体が覆うことで防止でき、また蓋体は自重により覆うものとなされていることで、ループコネクタを外した際に自動的に光コネクタの他端を覆うこととなり、蓋体を移動させる手間がかかることがなくなる。
【００３０】
【００３１】
【発明の実施の形態】
本発明の実施の形態について、図面に基づき以下に具体的に説明する。
【００３２】
図１は本出願人による特願２０００−３１５０４５号に記載される従来の光線路の端末構造の使用状態を示す説明図である。地点標である中空支持体ａと可搬局ｂは扉１を介してケーブルｃにて接続されている。
【００３３】
図２は図１の扉付近の詳細を示す説明図で、ａ）は正面図、ｂ）は側断面図である。扉１は中空支持体ａに穿設された開口部Ａを塞いで開閉を規制するもので、中空支持体ａは、その内部の中空部ａ１に光コンセント２を有するものである。扉１についてａ）−１は扉が閉まっている状態、ａ）−２は扉が開いた状態を示すものであるが、扉１は上扉１ａ、下扉１ｂ及び小扉１ｃにより構成され、上扉１ａと下扉１ｂを閉鎖した際に生じるジャック又はケーブルを挿通する部位を小扉１ｃが閉塞するものである。
【００３４】
更に可搬局側のジャックの接続時における扉１の付近は、ｂ）−１に示す如く、中空支持体ａ内の中空部ａ１に設けられる光コンセント２が中空支持体の内面にＵバンド２３を用いてビス２３１にて固定される方法となっており、ビス２３１の取り付けが行い辛いとの難点があった。次にｂ）−２に示すようにループコネクタ２２を外す。従来はこの外したループコネクタ２２の置き場がなく、外した後に紛失する恐れがあった。次にｂ）−３に示すように可搬局のジャック３を接続し、ｂ）−４に示すように、小扉１ｃが開放された状態となって可搬局ｃ側のジャック３が接続された状態で扉１ａ、１ｂを閉めることが可能である。
【００３５】
図３は、本発明に係わる取付金具を用いた中空支持体ａ内の中空部ａ１における光コンセント２の取り付けの一形態を示す説明図で、ａ）が側断面図、ｂ）が正面図である。略Ｌ字型の取付金具２４は、光コンセント２にフランジを下方に向けて取り付けられていることで、開口部側のプレート１１に自重により懸架され、ビス２４１によって固定することが容易に可能である。
【００３６】
図３に示す取付金具の貫通孔の形状は、図４の２４ａ、２４ｂに示すような形状としてもよい。この様な形状とすることで、開口部側のプレート１１に予めビス等を嵌着しておき、取り付け孔２４ａ２、２４ｂ２を用いてビス２４１を螺着することなく光コンセント２を取り付けることができ、取り付け時における省力化を図ることができる。
【００３７】
また取付金具は、図５に示す如き開口部側の直立したプレートに、光コンセント２を支持する一部が開口した円形のバネ状固定金具２４ｃ１が取り付けられたものであってもよい。かかる取付金具２４ｃを用いることで部品点数を減らすことができ、また光コンセント２はバネ状固定金具２４ｃ１に嵌着することで容易に取り付け可能となり得る。
【００３８】
図６は、本発明に係わるループコネクタの支持部の一形態を示す側断面図である。上扉１ａ、下扉１ｂ及び小扉１ｃが開放され、上扉１ａの中空支持体ａの中空部ａ１側にはループコネクタの支持部２２１が取り付けられている。可搬局ｃ側のジャック３が取り付けられる際にループコネクタ２２は取り外されるが、支持部２２１に取り付けられることで紛失する恐れがなくなる。更に支持部２２１に取り付けられた状態で上扉１ａ、下扉１ｂが閉じられると、ループコネクタ２２は中空支持体ａの中空部ａ１側に保管されて、降雨により濡れる等によって故障する恐れをなくすることができる。
【００３９】
図７は、図６に示したループコネクタの支持部２２を中空支持体ａの中空部ａ１側から見たものである。ループコネクタの支持部２２１に設けられた溝部にループコネクタ２２が挿入されて保管される。
【００４０】
図８は、本発明に係わるループコネクタの支持部の他の実施形態を示す説明図であり、ａ）は上面図、ｂ）は側面図、ｃ）は側断面図を示すものである。支持部２２１ａにはループコネクタ２２の直径より若干大きい幅の溝が穿設され、その溝にループコネクタ２２が挿入され、ビス２２１ａ１により固定される。固定のための手段は、ビス、ボルトを用いてもよいが、蝶ねじを用いることで工具を必要とすることなくループコネクタ２２の固定が可能となり好ましい。
【００４１】
図９は、本発明に係わるループコネクタの支持部の他の実施形態を示す側断面図である。図５に示した形態と同様にループコネクタの支持部２２１ｂには溝部にループコネクタ２２が挿入されるが、挿入部にバネ２２１ｂ１を設けておくことでその反発力により溝部に挿入されたループコネクタ２２が支持部２２１ｂに押しつけられ、締結手段を必要とすることなくループコネクタを固定して保管することが可能となる。
【００４２】
図１０は、本発明に係わるループコネクタの支持部の他の実施形態を示す側面図で、ａ）、ｂ）はループコネクタ２２を支持部２２１に取り付ける方向が異なるものである。オーバーキャップ型の支持部２２１ｃ又はインナーキャップ型の支持部２２１ｄにループコネクタ２２を取り付けて保管しておくことで、結露等によるジャック２１から取り外したループコネクタ２２の濡れを防止でき、再度ループコネクタ２２を光コンセント２のジャック２１に取り付ける際に、濡れ等に起因する故障を防ぐことができる。
【００４３】
図１１は本発明に係わる開口部Ａの、中空部ａ１側に設けられた覆いの一例を示す正面図である。開口部Ａの下端付近から上方にかけて、開口部Ａを覆う覆い４が設けられ、上端付近は開口されている。かかる覆い４を設けることで可搬局ｃ側のジャック３が接続する際に、接続を妨げることなく風雨等による光コンセント２が濡れて故障の原因となることを防止できる。
【００４４】
覆い４は、透視性の合成樹脂からなるフィルムであることが好ましく、可撓性を有するものがより好ましい。合成樹脂からなるフィルムを用いることで、開口部Ａへの取り付けが容易になると共に、可搬局ｃ側のジャック３の取り付け時に作業者の手などに当たっても怪我をさせることがなく好ましい。また可撓性のものであれば、接続時に容易に破れることがなく長期に亘り使用が可能となる。更に透視性のものであれば、取り付け時に光コンセント２付近が見えることで、可搬局ｃ側のジャック３の円滑な接続が可能となり得る。
【００４５】
覆い４を形成する合成樹脂は、ポリエチレン、ポリプロピレン、ポリ塩化ビニル樹脂等、透視性を有するものが好ましく、また可塑剤等を添加して可撓性を持たせておくのがより好ましい。
【００４６】
また光コンセント２は、図１２に示す如く、蝶番により支持されて自重により光コンセント２を覆う蓋体が設けられているものであってもよい。光コンセントの取付金具２４には、光コンセント２が取り付けられると共に、蓋体２５が蝶番２５１により支持されて設けられている。蓋体２５は、ａ）に示す如く、ループコネクタ２２が光コンセント２に接続された状態ではループコネクタ２２に当接した状態となされているが、ｂ）に示す如くループコネクタ２２が光コンセント２から外されると、蓋体２５の自重により端末２側に倒れて、光コンセント２にループコネクタ２２や可搬局のジャック３が接続されていない状態で、光コンセント２を保護するものである。
【００４７】
ここで、蓋体２５の蝶番２５１付近には回転止め２５２が設けられ、蓋体２５が端末２と反対側に廻らないようになされていると共に、常時自重により端末２側へ倒れるようになされている。また蓋体２５の端末２の当接面側２５３は、合成樹脂の発泡体等、自重により倒れても端末２に変形等の悪影響を及ぼさない材料で形成しておくのが好ましい。可搬局のジャック３を端末２に接続するには、蓋体２５を持ち上げてジャック３を接続して、ｃ）に示す如き状態となされる。かかる構造とすることで、風雨が強い場合等においても、光コンセント２を保護しつつ、可搬局のジャック３を接続するのがより容易なものとなり得る。
【００４８】
また本発明に係わる開口部は、図１３〜図１６に示す如く、開口部を塞いで開閉を規制する扉にはジャックから可搬局へ通ずるケーブルを挿通可能な切欠き部が設けられ、切欠き部には扉の切欠き縁部によるケーブルへのストレスを軽減する緩衝部が設けられているものであってもよい。本実施形態において、図１３及び図１４は可搬局側のジャックの接続の一連の過程を示す説明図、図１５は扉１付近の詳細を示す側断面図である。
【００４９】
まず本実施形態に係わる中空支持体ａは、図１３のａ）に示す如く地点標であり、その一側面に扉１が設けられている。扉１は、ｂ）に示す如く横開きに開放され、上扉１ａの下端部には切欠き部１２が穿設されている。上扉１ａが開放された状態で、中空支持体ａ内の中空部ａ１に通ずる開口部Ａが開口されるが、上扉１ａが閉鎖された状態では、上扉１ａ及び切欠き部１２を塞ぐ小扉１ｃにより、開口部Ａは完全に閉塞される。上扉１ａの中空部ａ１側には、切欠き部１２の縁部上端から中空支持体ａ内の上方に向かって延びる傾斜面を有する緩衝部１３が設けられている。中空部ａ１内には、光コンセント２が設けられている。
【００５０】
次に、図１４のｃ）に示す如く、可搬局ｃ側のジャック３が光コンセント２に接続される。ジャック３は可搬局ｃに通ずるケーブルｃの一端に設けられているものであり、中空部ａ１内に設けられた光コンセント２に接続すると、通常の扉ではケーブルｃが邪魔になり閉鎖できなくなる。上扉１ａにケーブルｃが挿通可能な切欠き部１２を設けておき、小扉１ｃはケーブルｃが挿通されている状態においては下方に垂下されることで、小扉１ｃは中空支持体１ａから着脱させることなく切欠き部１２を開放及び閉塞することができる。
【００５１】
図１５は光コンセント２に可搬局のジャック３を接続した状態を示すものである。ａ）は扉１を開放した状態での側面図であり、切欠き部１２には、更に下方からの蝶番により支持され、ケーブルｃの挿通時以外では扉１により開放を規制される小扉１ｃが設けられている。可搬局のジャック３から可搬局へ通ずるケーブルｃは扉１が閉鎖された状態となっても、切欠き部１２に挿通されることで、光コンセント２に接続されても扉１を閉めて、接続部を保護することができる。
【００５２】
扉を閉鎖した状態での側面図を示すのがｂ）であり、本実施形態においては可搬局のジャック３が光コンセント２に対し下方から接続されるものであり、切欠き部１２の前後でケーブルｃが屈曲され、また切欠き部の縁部に当たることでストレスを受ける状態となっている。本発明におけるケーブルｃは光ケーブルであることから、急角度で屈曲されると光の屈折が大きくなり、ケーブルｃによる情報の伝達に支障を来す恐れが出てくる。そこで扉１から中空部へ向けて傾斜させた緩衝部１３を設けることで、扉１を閉鎖した状態においてもケーブルｃが屈曲する角度を小さくし、ケーブルｃにかかるストレスを軽減することができる。
【００５３】
緩衝部１３は金属、合成樹脂等により形成し、扉１に取り付けるものであってよいが、ケーブルｃと当接する部分にゴムやウレタンの発泡体等の緩衝材を取り付けておくのが、更にケーブルｃへのストレスを軽減する上で好ましい。更にｃ）に示す如く、ケーブルｃが可搬局側の方向αに引っ張られる状態において、かかる緩衝部１３はケーブルｃへのストレスを軽減する高い効果が得られる。
【００５４】
【発明の効果】
請求項１に記載の発明によれば、光コネクタの他端を中空支持体に取り付ける際に、取付金具を用いて固定することで、扉の開口部において取り付け時の動作が制約される状況にあっても、光コネクタの他端は容易に取り付けが可能なものとなり得る。
【００５５】
【００５６】
【００５７】
また、ケーブルにかかるストレスを軽減することで可搬局側からの引っ張り等によるケーブルの破損を防止でき、更には光ケーブルを用いたときに生じる屈曲による通信障害を防止することで通信を円滑なものとできる。
【図面の簡単な説明】
【図１】光線路の端末構造の使用時の概要を示す説明図である。
【図２】従来の光線路の端末構造における、可搬局のジャックの接続に係わる構造を示す側面図である。
【図３】本発明に係わる光コネクタの取付金具の、実施の一形態を示す側面図である。
【図４】本発明に係わる光コネクタの取付金具の、他の実施形態を示す側面図である。
【図５】本発明に係わる光コネクタの取付金具の、他の実施形態を示す側面図である。
【図６】本発明に係わるループコネクタの、支持部への取付構造の一例を示す側面図である。
【図７】本発明に係わるループコネクタの、支持部への取付構造の他の実施形態を示す側面図である。
【図８】図７に示したループコネクタの、支持部への取付構造の詳細を示す側面図である。
【図９】本発明に係わるループコネクタの、支持部への取付構造の他の実施形態を示す側面図である。
【図１０】本発明に係わるループコネクタの、支持部への取付構造の他の実施形態を示す側面図である。
【図１１】本発明に係わる開口部への覆いの実施の一形態を示す正面図である。
【図１２】本発明に係わる光コネクタの端末を覆う蓋体の、実施の一形態を示す側面図である。
【図１３】本発明に係わる光コンセントへの可搬局側のジャックの、一連の接続の過程の一例を示す説明図である。
【図１４】本発明に係わる光コンセントへの可搬局側のジャックの、一連の接続の過程の一例を示す説明図である。
【図１５】本発明に係わる光コンセント及び緩衝部の実施の一形態を示す側断面図である。
【符号の説明】
ａ 中空支持体
ｂ 可搬局
ｃ ケーブル
Ａ 開口部
１ 扉
１ａ 上扉
１ｂ 下扉
１ｃ 小扉
１１ プレート
１２ 切欠き部
１３ 緩衝部
２ 光コンセント
２２ ループコネクタ
２２１ 支持部
２２１ａ、２２１ｂ、２２１ｃ、２２１ｄ、２２１ｅ支持部
２２１ａ１ ビス
２３ Ｕバンド
２３１ ビス
２４ 取付金具
２４ａ、２４ｂ、２４ｃ 取付金具
２４ｃ１ バネ
２４１ ビス
２４２ 貫通孔
２４３ 固定部
２５ 蓋体
２５１ 蝶番
２５２ 回転止め
３ 可搬局のジャック
４ 覆い
【図１】
0003861022.tif 000002
【図２】
0003861022.tif 000003
【図３】
0003861022.tif 000004
【図４】
0003861022.tif 000005
【図５】
0003861022.tif 000006
【図６】
0003861022.tif 000007
【図７】
0003861022.tif 000008
【図８】
0003861022.tif 000009
【図９】
0003861022.tif 000010
【図１０】
0003861022.tif 000011
【図１１】
0003861022.tif 000012
【図１２】
0003861022.tif 000013
【図１３】
0003861022.tif 000014
【図１４】
0003861022.tif 000015
【図１５】
0003861022.tif 000016